(57)【要約】【課題】全てのスラットを水平状態から遮蔽状態、或いは遮蔽状態から水平状態にするための操作負担を軽減し、特に、部分採光を可能とする構成の場合でも直感的に分かりやすい操作性とするよう構成した横型ブライドを提供する。【解決手段】本発明の横型ブラインドは、ヘッドボックス１から第１及び第２のラダーコード１３，１４を介して多数段のスラット群（上部スラット群７及び下部スラット群８）を吊下支持しており、ヘッドボックス１から一端を導出させて引き操作可能な一括開閉操作用のチルトコード１５Ｆを用いて第１及び第２のラダーコード１３，１４の縦糸を吊り上げ可能に構成している。そして、一括開閉操作用のチルトコード１５Ｆの引き操作により、多数段のスラット群（上部スラット群７及び下部スラット群８）の全体的な採光状態と遮蔽状態を一括して切り替え可能としている。【選択図】図１
2018066164.tif 000002
【特許請求の範囲】
【請求項１】
ヘッドボックスからラダーコードを介して多数段のスラット群を吊下支持する横型ブラインドであって、
前記ヘッドボックスから一端を導出させて引き操作可能な一括開閉操作用のチルトコードを用いて前記ラダーコードの縦糸を吊り上げ可能に構成し、前記一括開閉操作用のチルトコードの引き操作により、前記多数段のスラット群の全体的な採光状態と遮蔽状態を一括して切り替え可能としたことを特徴とする横型ブラインド。
【請求項２】
前記ラダーコードは、前記多数段のスラット群のうち上部スラット群を支持する第１のラダーコードと、前記多数段のスラット群のうち下部スラット群を支持する第２のラダーコードからなり、前記一括開閉操作用のチルトコードは、当該引き操作により、前記第１及び第２のラダーコードの縦糸の双方を吊り上げ可能に構成されていることを特徴とする、請求項１に記載の横型ブラインド。
【請求項３】
前記ヘッドボックスから一端を導出させて引き操作可能な一括部分採光操作用のチルトコードを更に備え、
前記一括部分採光操作用のチルトコードを用いて、前記一括開閉操作用のチルトコードによる吊り上げ位置とは異なる第２の吊り上げ位置にて前記ラダーコードの縦糸を吊り上げ可能に構成し、前記一括部分採光操作用のチルトコードの引き操作により、前記多数段のスラット群の部分的な採光状態と遮蔽状態を一括して切り替え可能としたことを特徴とする、請求項１又は２に記載の横型ブラインド。
【請求項４】
前記ヘッドボックスから一端を導出させて引き操作可能な一括部分採光操作用のチルトコードを更に備え、
前記一括部分採光操作用のチルトコードを用いて、前記一括開閉操作用のチルトコードによる吊り上げ位置とは異なる第２の吊り上げ位置にて前記第１及び第２のラダーコードのいずれか一方の縦糸を吊り上げ可能に構成し、前記一括部分採光操作用のチルトコードの引き操作により、前記多数段のスラット群の部分的な採光状態と遮蔽状態を一括して切り替え可能としたことを特徴とする、請求項２に記載の横型ブラインド。
【発明の詳細な説明】
【技術分野】
【０００１】
本発明は、多数段のスラットの昇降操作及び角度調節操作を可能とする横型ブラインドに関する。
【背景技術】
【０００２】
横型ブラインドは、ヘッドボックスから吊り下げられるラダーコードに支持された多数段のスラットを昇降させたり、チルトさせたりすることによって、室内に取り込む日射量の調整が可能となっている。
【０００３】
例えば、ラダーコードの下端にボトムレールが配置され、ボトムレールに取着された昇降コードをヘッドボックス内への引き込み及びヘッドボックスからの引き出しを行うことによって、ボトムレールを昇降させることによりスラットを昇降させることができる。
【０００４】
横型ブラインドの一種として、多数段のスラットのうち一部のスラットについて部分的な採光（以下、「部分採光」と称する）を可能とする横型ブラインドがある。
【０００５】
例えば、多数段のスラットを上下方向に３分割するようそれぞれのラダーコードで吊下支持し、３本の開閉ポールに連結される３本の角度調節軸の回転により、それぞれ独立して分割領域のスラット群を選択的に角度調節可能とする横型ブラインドが開示されている（例えば、特許文献１参照）。
【０００６】
また、多数段のスラットを上下方向に２分割し、上部スラット群を支持する第１ラダーコードと、下部スラット群を支持する第２ラダーコードとを設け、上部スラット群と下部スラット群の角度調節の個別操作を可能とした横型ブラインドが開示されている（例えば、特許文献２参照）。
【０００７】
また、任意に定める特定部位のスラットの近傍に、切替コード、或いはチルトコードと称される部分採光用のコードの下端部を固定して、当該部分採光用のコードの引き込み又は引き出しを行うことによって、多数段のスラットの上部と下部で採光状態を可変とする横型ブラインドが開示されている（例えば、特許文献３，４，５参照）。
【先行技術文献】
【特許文献】
【０００８】
【特許文献１】実開平７−３８５９０号公報
【特許文献２】特許第第５０３０８３１号明細書
【特許文献３】特開２０１６−３７８３８号公報
【特許文献４】国際公開第２０１５／５１６３４１７号明細書
【特許文献５】特開２０１６−２７２３７号公報
【発明の概要】
【発明が解決しようとする課題】
【０００９】
上述したように、多数段のスラットのうち一部のスラットについて部分的な採光（部分採光）を可能とする横型ブラインドが知られている。
【００１０】
このような横型ブラインドは、典型的には、多数段のスラットの上部と下部で採光状態を可変とするよう構成され、この多数段のスラットの角度調節について、上部採光・下部遮蔽、上部遮蔽・下部採光、上部採光・下部採光、及び上部遮蔽・下部遮蔽となる状態を選択的に操作できるようになっている。
【００１１】
しかしながら、部分採光可能な仕組みを横型ブラインドに設けたために、全てのスラットを水平状態から遮蔽状態（或いは遮蔽状態から水平状態）にするための操作負担が増大し、或いは操作が複雑化してしまい、利用者によっては、このような採光又は遮蔽状態の組み合わせを個別に操作するための操作性が煩わしい、或いは直感的に分かりにくいとして改善すべきとする要望がある。
【００１２】
特に、特許文献１の技法では、多数段のスラットを上下方向に分割するようそれぞれのラダーコードで吊下支持し、３本の開閉ポールに連結される３本の角度調節軸の回転により、それぞれ独立して分割領域のスラット群を選択的に角度調節可能とする横型ブラインドが開示されているが、例えば全てのスラットを水平状態から遮蔽状態にするためには全ての開閉ポールを個別に操作する必要があり操作性が悪い。
【００１３】
また、特許文献２の技法では、異なる径の吊下げドラムとその空転機構で、上部スラット群と、下部スラット群を個別にチルト操作可能とするよう構成され、上部採光・下部遮蔽、上部遮蔽・下部採光、上部採光・下部採光、及び上部遮蔽・下部遮蔽となる状態を選択的に操作可能とする横型ブラインドが開示されているが、これらの状態をチルトポールの回転操作で順次切り替えていく必要があり、操作性の観点で改善の余地がある。
【００１４】
更に、特許文献３の技法では、チルトコードの引き操作（特定スラット群の吊り上げ操作）を軽減し操作可能とするチルト操作負荷軽減装置を設けた横型ブラインドが開示されているが、このチルトコードの引き操作は部分採光用に構成されたものであり、全てのスラットを水平状態から遮蔽状態にするためには、依然として角度調節軸の回転操作が必要であることから、より利便性の高い技法が望まれる。
【００１５】
また、特許文献４，５の技法では、チルトポールの下部に設けられたグリップを引くことで、上部又は下部スラット群の採光／遮蔽を切り替える横型ブラインドが開示されているが、上部採光・下部遮蔽、上部遮蔽・下部採光、上部採光・下部採光、及び上部遮蔽・下部遮蔽となる状態の選択操作は、チルトポールの回転操作と当該グリップの引き操作の組み合わせとなるため、より直感的に分かりやすい操作とする技法が望まれる。
【００１６】
本発明の目的は、上述の問題に鑑みて、全てのスラットを水平状態から遮蔽状態、或いは遮蔽状態から水平状態にするための操作負担を軽減し、特に、部分採光を可能とする構成の場合でも直感的に分かりやすい操作性とするよう構成した横型ブライドを提供する。
【課題を解決するための手段】
【００１７】
本発明の横型ブラインドは、ヘッドボックスからラダーコードを介して多数段のスラット群を吊下支持する横型ブラインドであって、前記ヘッドボックスから一端を導出させて引き操作可能な一括開閉操作用のチルトコードを用いて前記ラダーコードの縦糸を吊り上げ可能に構成し、前記一括開閉操作用のチルトコードの引き操作により、前記多数段のスラット群の全体的な採光状態と遮蔽状態を一括して切り替え可能としたことを特徴とする。
【００１８】
本発明の横型ブラインドにおいて、前記ラダーコードは、前記多数段のスラット群のうち上部スラット群を支持する第１のラダーコードと、前記多数段のスラット群のうち下部スラット群を支持する第２のラダーコードからなり、前記一括開閉操作用のチルトコードは、当該引き操作により、前記第１及び第２のラダーコードの縦糸の双方を吊り上げ可能に構成されていることを特徴とする。
【００１９】
本発明の横型ブラインドにおいて、前記ヘッドボックスから一端を導出させて引き操作可能な一括部分採光操作用のチルトコードを更に備え、前記一括部分採光操作用のチルトコードを用いて、前記一括開閉操作用のチルトコードによる吊り上げ位置とは異なる第２の吊り上げ位置にて前記ラダーコードの縦糸を吊り上げ可能に構成し、前記一括部分採光操作用のチルトコードの引き操作により、前記多数段のスラット群の部分的な採光状態と遮蔽状態を一括して切り替え可能としたことを特徴とする。
【００２０】
本発明の横型ブラインドにおいて、前記ヘッドボックスから一端を導出させて引き操作可能な一括部分採光操作用のチルトコードを更に備え、前記一括部分採光操作用のチルトコードを用いて、前記一括開閉操作用のチルトコードによる吊り上げ位置とは異なる第２の吊り上げ位置にて前記第１及び第２のラダーコードのいずれか一方の縦糸を吊り上げ可能に構成し、前記一括部分採光操作用のチルトコードの引き操作により、前記多数段のスラット群の部分的な採光状態と遮蔽状態を一括して切り替え可能としたことを特徴とする。
【発明の効果】
【００２１】
本発明によれば、全てのスラットを水平状態から遮蔽状態、或いは遮蔽状態から水平状態にするための操作負担を軽減し、特に、部分採光を可能とする構成の場合でも直感的に分かりやすい操作性を実現することができる。
【図面の簡単な説明】
【００２２】
【図１】本発明による第１実施形態の横型ブラインドの概略構成を示す正面図である。
【図２】本発明による第１実施形態の横型ブラインドの概略構成を示す側面図である。
【図３】本発明による第１実施形態の横型ブラインドの概略構成を簡略的に示す正面図である。
【図４】（ａ）,（ｂ）は、それぞれ本発明による第１実施形態の横型ブラインドにおけるスラットの典型的な角度調節操作を示す側面図である。
【図５】（ａ）,（ｂ）は、それぞれ本発明による第１実施形態の横型ブラインドにおけるスラットの水平状態からの一括全閉操作を簡略的に示す側面図である。
【図６】（ａ）,（ｂ）は、それぞれ本発明による第１実施形態の横型ブラインドにおけるスラットの一括全閉状態からの一括部分採光操作を簡略的に示す側面図である。
【図７】（ａ）,（ｂ）は、それぞれ本発明による第１実施形態の横型ブラインドにおけるスラットの水平状態からの一括部分採光操作を簡略的に示す側面図である。
【図８】本発明による第２実施形態の横型ブラインドの概略構成を示す正面図である。
【図９】本発明による第２実施形態の横型ブラインドの概略構成を示す側面図である。
【図１０】本発明による第２実施形態の横型ブラインドの概略構成を簡略的に示す正面図である。
【図１１】（ａ）,（ｂ）は、それぞれ本発明による第２実施形態の横型ブラインドにおけるスラットの水平状態からの一括全閉操作を簡略的に示す側面図である。
【図１２】（ａ）,（ｂ）は、それぞれ本発明による第２実施形態の横型ブラインドにおけるスラットの一括全閉状態からの一括部分採光操作を簡略的に示す側面図である。
【図１３】（ａ）,（ｂ）は、それぞれ本発明による第２実施形態の横型ブラインドにおけるスラットの水平状態からの一括部分採光操作を簡略的に示す側面図である。
【発明を実施するための形態】
【００２３】
以下、図面を参照して、本発明による各実施形態の横型ブラインドを説明する。尚、本願明細書中、図１に示す横型ブラインドの正面図に対して、図示上方及び図示下方をスラットの吊り下げ方向に準じてそれぞれ上方向（又は上側）及び下方向（又は下側）と定義し、図示左方向を横型ブラインドの左側、及び、図示右方向を横型ブラインドの右側と定義して説明する。また、以下に説明する例では、図１に示す横型ブラインドの正面図に対して、視認する側を前側（又は室内側）、その反対側を後側（又は室外側）とする。
【００２４】
〔第１実施形態〕
（全体構成）
図１は、本発明による第１実施形態の横型ブラインドの概略構成を示す正面図である。また、図２は、本実施形態の横型ブラインドの概略構成を示す側面図である。本実施形態の横型ブラインドは、ヘッドボックス１の少なくとも左右両端部近傍から吊下する第１及び第２のラダーコード１３，１４を介してそれぞれ上部スラット群７及び下部スラット群８が支持され、その第１のラダーコード１３の下端に中間レール４が吊下支持され、第２のラダーコード１４の下端にボトムレール５が吊下支持されている。ヘッドボックス１は、複数のブラケット６を介して天井面等の取付面へ固定される。
【００２５】
より具体的に、ヘッドボックス１内には、その少なくとも左右両端部近傍に、小径の第１の吊下げドラム９と、大径の第２の吊下げドラム１０とを回転可能に支持する支持部材が配設されている。第１の吊下げドラム９の径は、第２の吊下げドラム１０の径の半分となっている。
【００２６】
第１の吊下げドラム９には、上部スラット群７を支持する第１のラダーコード１３の上端が取着され、その第１のラダーコード１３の下端には中間レール４が支持されている。
【００２７】
第２の吊下げドラム１０には、下部スラット群８を支持する第２のラダーコード１４の上端が取着され、その第２のラダーコード１４の下端にボトムレール５が支持されている。
【００２８】
そして、第１及び第２の吊下げドラム９，１０が回転すると、第１及び第２のラダーコード１３，１４を介して上部スラット群７及び下部スラット群８が回動するようになっている。
【００２９】
第１の吊下げドラム９には六角棒状の角度調節軸１１が相対回転不能に挿通され、その角度調節軸１１の一端は、ヘッドボックス１の一端に配設されるギヤボックス３の出力軸に嵌合されている。
【００３０】
ギヤボックス３の入力軸３ａは、ヘッドボックス１の一端から斜め下方に突出され、その入力軸３ａからチルトポール２が吊下支持されている。そして、チルトポール２を回転させると、ギヤボックス３を介して角度調節軸１１が回転される。
【００３１】
チルトポール２の下方にはグリップ２７が固定され、その下端に設けられる操作つまみ２８にはチルトポール２内に挿通させた昇降コード１２の端部が取着されている。そして、図３の簡略図で示すように、操作つまみ２８を下方へ引いてヘッドボックス１から昇降コード１２の引き出し操作を行うことにより、ボトムレール５を昇降させて、下部スラット群８及び上部スラット群７を昇降可能となっている。尚、昇降コード１２の引き出し操作を停止すれば、ストッパー装置２０が作動して、ボトムレール５の自重降下が防止される。また、ストッパー装置２０の作動を解除すれば、ボトムレール５はその自重に基づいて下降する。
【００３２】
尚、本例では、下部スラット群８及び上部スラット群７の各スラットに対し前後一対のラダーコード１３，１４の近傍で、各スラットの前後方向の略中央部に設けられた挿通孔を経て昇降コード１２を垂下させる例を示している。ただし、昇降コード１２を各スラットの前側縁部、或いは後側縁部に沿って垂下させる構成でもよい。また、昇降コード１２をチルトポール２内に挿通させる構成とする以外にも、ヘッドボックス１から外部に導出させて垂下させる構成でもよい。
【００３３】
本実施形態では、第１の吊下げドラム９が正逆方向に６５度の範囲で第２の吊下げドラム１０に対し空転（相対回転）し、第１の吊下げドラム９が正逆方向に６５度以上回転すると、第１の吊下げドラム９と第２の吊下げドラム１０が一体に回転されるよう連結されている。
【００３４】
そして、図２に示すように、第１の吊下げドラム９における第１のラダーコード１３の上端の係止部が上方に位置するとき、上部スラット群７は第１のラダーコード１３を介して水平方向に保持され、第２の吊下げドラム１０における第２のラダーコード１４の上端の係止部が上方に位置するとき、下部スラット群８は第２のラダーコード１４を介して水平方向に保持される。
【００３５】
このような本実施形態の横型ブラインドにおいては、上部スラット群７及び下部スラット群８が水平方向に保持されている状態から、チルトポール２の回転操作で角度調節軸１１を正方向に回転させて、第１の吊下げドラム９を回転させると、最初の６５度の範囲では第１の吊下げドラム９が第２の吊下げドラム１０に対し空転し、第１の吊下げドラム９のみが回転して、上部スラット群７のみが回動される。
【００３６】
次いで、角度調節軸１１を同方向にさらに６５度回転すると、図４（ａ）に示すように、上部スラット群７及び下部スラット群８が全閉状態まで回動される。
【００３７】
図４（ａ）に示す状態から、角度調節軸１１を逆方向に回転させると、まず第１の吊下げドラム９のみが回転されて、上部スラット群７が回動される。このとき、図４（ａ）に示す状態から第１の吊下げドラム９が６５度回転されて上部スラット群７が水平方向まで回動されると第１の吊下げドラム９及び第２の吊下げドラム１０が一体に回動し始め、下部スラット群８が水平方向に回動され、図２に示す状態となる。
【００３８】
また、図２に示す状態から角度調節軸１１を逆方向に回転させると、まず第１の吊下げドラム９が６５度回転されて上部スラット群７が回動され、次いで第１の吊下げドラム９及び第２の吊下げドラム１０がさらに一体に６５度回転されると、図４（ｂ）に示すように、上部スラット群７及び下部スラット群８が逆全閉状態まで回動される。
【００３９】
従って、チルトポール２の回転操作で、上部スラット群７及び下部スラット群８の任意角度の角度調節が可能であり、上部採光・下部遮蔽、上部遮蔽・下部採光、上部採光・下部採光、及び上部遮蔽・下部遮蔽となる状態を選択可能となっている。
【００４０】
しかしながら、これらの状態を、チルトポール２の回転操作で順次切り替えていくための操作性が煩わしく感じることがあり、直感的に分かりやすい操作とはいえない。
【００４１】
そこで、本実施形態の横型ブラインドでは、図１乃至図３から理解されるように、第１のタッセル１６に一端を取着した一括開閉操作用のチルトコード１５Ｆの他端を、ストッパー装置２１を介してヘッドボックス１内で案内し、最上段のスラット近傍にて係止部材１７により第１及び第２のラダーコード１３，１４の室内側縦糸の双方に接続している。これにより、角度調節軸１１の回転操作とは別に第１のタッセル１６の引き操作で全てのスラット（上部スラット群７及び下部スラット群８）について全体的な採光状態と遮蔽状態を一括して切り替え可能となっている。
【００４２】
さらに、本実施形態の横型ブラインドでは、図１乃至図３から理解されるように、第２のタッセル１８に一端を取着した一括部分採光操作用のチルトコード１５Ｒの他端を、ストッパー装置２２を介してヘッドボックス１内で案内し、最上段のスラット近傍にて係止部材１９により第１のラダーコード１３の室外側縦糸のみに接続している。これにより、角度調節軸１１の回転操作とは別に、操作として分かりやすい第１のタッセル１６と第２のタッセル１８の引き操作の組み合わせで多数段のスラット群について部分的な採光状態を一括して切り替え可能となっている。
【００４３】
以下、より具体的に、本実施形態の横型ブラインドにおける一括開閉操作（特に、一括全閉操作）、及び一括部分採光操作について説明する。
【００４４】
（一括開閉操作）
図５（ａ）,（ｂ）は、それぞれ本実施形態の横型ブラインドにおける上部スラット群７及び下部スラット群８の水平状態からの一括開閉操作（特に、一括全閉操作）を簡略的に示す側面図である。
【００４５】
図５（ａ）に示すように、上部スラット群７及び下部スラット群８は、それぞれ第１及び第２の吊下げドラム９，１０により吊下されるそれぞれの第１及び第２のラダーコード１３，１４を介して、水平状態で支持されている。
【００４６】
図５（ａ）に示す状態から、第１のタッセル１６の引き操作を行うことにより、図５（ｂ）に示すようにチルトコード１５Ｆが引き込まれ、最上段のスラット近傍にてチルトコード１５Ｆの末端が係止部材１７により第１及び第２のラダーコード１３，１４の室内側縦糸の双方に接続されていることから、その第１及び第２のラダーコード１３，１４の室内側縦糸の双方が吊り上げられる。そして、第１のタッセル１６を手放してストッパー装置２１を作動させることで、チルトコード１５Ｆの引き込み量をロックできる。このため、全てのスラット（上部スラット群７及び下部スラット群８）を全体的な全閉状態へと一括して切り替えることができる。また、第１のタッセル１６の引き操作で、ストッパー装置２１の作動解除（ロック解除）により図５（ａ）に示す全体的な採光状態へと一括して切り替えることができる。
【００４７】
（上部採光・下部遮蔽となる一括部分採光操作）
図６（ａ）,（ｂ）は、それぞれ本実施形態の横型ブラインドにおける上部スラット群７及び下部スラット群８の一括全閉状態からの一括部分採光操作を簡略的に示す側面図である。
【００４８】
図６（ａ）に示すように、上部スラット群７及び下部スラット群８は、第１のタッセル１６の引き操作により、全てのスラット（上部スラット群７及び下部スラット群８）について全体的な全閉状態へと一括して切り替えられている。
【００４９】
図６（ａ）に示す状態から、第２のタッセル１８の引き操作を行うことにより、図６（ｂ）に示すようにチルトコード１５Ｒが引き込まれ、最上段のスラット近傍にてチルトコード１５Ｒの末端が係止部材１９により第１のラダーコード１３の室外側縦糸のみに接続されていることから、その第１のラダーコード１３の室外側縦糸が吊り上げられる。そして、第２のタッセル１８を手放してストッパー装置２２を作動させることで、チルトコード１５Ｒの引き込み量をロックできる。このため、上部スラット群７を採光状態、下部スラット群８を遮蔽状態とした上部採光・下部遮蔽となる部分採光状態へと一括して切り替えることができる。また、第２のタッセル１８の引き操作で、ストッパー装置２２の作動解除（ロック解除）により図６（ａ）に示す全体的な全閉状態へと一括して切り替えることができる。
【００５０】
（上部遮蔽・下部採光となる一括部分採光操作）
図７（ａ）,（ｂ）は、それぞれ本実施形態の横型ブラインドにおける上部スラット群７及び下部スラット群８の水平状態からの一括部分採光操作を簡略的に示す側面図である。
【００５１】
図７（ａ）に示すように、上部スラット群７及び下部スラット群８は、それぞれ第１及び第２の吊下げドラム９，１０により吊下されるそれぞれの第１及び第２のラダーコード１３，１４を介して、水平状態で支持されている。
【００５２】
図７（ａ）に示す状態から、第２のタッセル１８の引き操作を行うことにより、図７（ｂ）に示すようにチルトコード１５Ｒが引き込まれ、最上段のスラット近傍にてチルトコード１５Ｒの末端が係止部材１９により第１のラダーコード１３の室外側縦糸のみに接続されていることから、その第１のラダーコード１３の室外側縦糸が吊り上げられる。そして、第２のタッセル１８を手放してストッパー装置２２を作動させることで、チルトコード１５Ｒの引き込み量をロックできる。このため、上部スラット群７を遮蔽状態、下部スラット群８を採光状態とした上部遮蔽・下部採光となる部分採光状態へと一括して切り替えることができる。また、第２のタッセル１８の引き操作で、ストッパー装置２２の作動解除（ロック解除）により図７（ａ）に示す全体的な採光状態へと一括して切り替えることができる。
【００５３】
尚、第１のタッセル１６の引き操作によるヘッドボックス１内への一括開閉操作用のチルトコード１５Ｆの引き込み量は、ストッパー装置２１の作動で任意に操作可能であることから、全てのスラット（上部スラット群７及び下部スラット群８）に関する任意の角度での角度調節を行うことができる。
【００５４】
同様に、第２のタッセル１８の引き操作によるヘッドボックス１内への一括部分採光操作用のチルトコード１５Ｒの引き込み量は、ストッパー装置２２の作動で任意に操作可能であることから、上部スラット群７に関する任意の角度での角度調節を行うことができる。
【００５５】
従って、本実施形態の変形例として、チルトポール２及び角度調節軸１１を設けずに、回転不能な第１及び第２の吊下げドラム９，１０として第１及び第２のラダーコード１３，１４を単に吊下する構成であっても、第１及び第２のタッセル１６，１８の引き操作の組み合わせのみで、上部スラット群７及び下部スラット群８の任意角度の角度調節が可能であり、特に、上部採光・下部遮蔽、上部遮蔽・下部採光、上部採光・下部採光、及び上部遮蔽・下部遮蔽となる状態を選択可能とすることができる。
【００５６】
以上のように、本実施形態の横型ブラインドによれば、全てのスラット（上部スラット群７及び下部スラット群８）を水平状態から遮蔽状態、或いは遮蔽状態から水平状態にするための操作負担を軽減することができ、直感的に分かりやすい操作性を実現することができる。
【００５７】
また、本実施形態の横型ブラインドによれば、一括操作で部分採光を可能とする構成としているため、上部採光・下部遮蔽、上部遮蔽・下部採光、上部採光・下部採光、及び上部遮蔽・下部遮蔽となる状態の選択操作についても直感的に分かりやすいものとすることができる。
【００５８】
〔第２実施形態〕
（全体構成）
図８は、本発明による第２実施形態の横型ブラインドの概略構成を示す正面図である。また、図９は、本実施形態の横型ブラインドの概略構成を示す側面図である。本実施形態の横型ブラインドは、ヘッドボックス１の少なくとも左右両側近傍から吊下するラダーコード１４を介して全てのスラット（上部スラット群７及び下部スラット群８）が支持され、そのラダーコード１４の下端にボトムレール５が吊下支持されている。ヘッドボックス１は、複数のブラケット６を介して天井面等の取付面へ固定される。
【００５９】
より具体的に、ヘッドボックス１内には、その少なくとも左右両端部近傍に、吊下げドラム１０を回転可能に支持する支持部材が配設されている。この吊下げドラム１０には、全てのスラット（上部スラット群７及び下部スラット群８）を支持するラダーコード１４の上端が取着され、そのラダーコード１４の下端部にボトムレール５が支持されている。
【００６０】
そして、吊下げドラム１０が回転すると、ラダーコード１４を介して上部スラット群７及び下部スラット群８が回動するようになっている。
【００６１】
吊下げドラム１０には六角棒状の角度調節軸１１が相対回転不能に挿通され、その角度調節軸１１の一端は、ヘッドボックス１の一端に配設されるギヤボックス３の出力軸に嵌合されている。
【００６２】
そして第１実施形態と同様に、ギヤボックス３の入力軸３ａからチルトポール２が吊下支持され、チルトポール２の下方にはグリップ２７が固定され、その下端に設けられる操作つまみ２８にはチルトポール２内に挿通させた昇降コード１２の端部が取着されている。そして、図１０の簡略図で示すように、操作つまみ２８を下方へ引いてヘッドボックス１から昇降コード１２を引き出すことにより、ボトムレール５を上昇させて、最下段のスラットから順に畳み込まれるようになっている。尚、昇降コード１２の引き出し操作を停止すれば、ストッパー装置２０が作動して、ボトムレール５の自重降下が防止される。また、ストッパー装置２０の作動を解除すれば、ボトムレール５はその自重に基づいて下降する。
【００６３】
本実施形態の例においても、下部スラット群８及び上部スラット群７における前後一対のラダーコード１４の近傍で、各スラットの前後方向の略中央部に設けられた挿通孔を経て昇降コード１２を垂下させる例を示している。ただし、昇降コード１２を各スラットの前側縁部、或いは後側縁部に沿って垂下させる構成でもよい。また、昇降コード１２をチルトポール２内に挿通させる構成とする以外にも、ヘッドボックス１から外部に導出させて垂下させる構成でもよい。
【００６４】
但し、本実施形態の例では、チルトポール２の回転操作で、上部スラット群７及び下部スラット群８の全体のスラットについて任意角度の角度調節が可能であるが、部分採光の選択操作はできない。
【００６５】
一方で、本実施形態の例においても、第１のタッセル１６及び第２のタッセル１８の引き操作で、上部採光・下部遮蔽、上部遮蔽・下部採光、上部採光・下部採光、及び上部遮蔽・下部遮蔽となる状態の選択操作を可能とし、尚且つ、その操作性を容易化し、直感的に分かりやすい操作となるよう構成されている。
【００６６】
即ち、本実施形態の横型ブラインドでは、図８乃至図１０から理解されるように、第１のタッセル１６に一端を取着した一括開閉操作用のチルトコード１５Ｆの他端を、ストッパー装置２１を介してヘッドボックス１内で案内し、最上段のスラット近傍にて係止部材１７によりラダーコード１４の室内側縦糸に接続している。これにより、角度調節軸１１の回転操作とは別に第１のタッセル１６の引き操作で全てのスラット（上部スラット群７及び下部スラット群８）について全体的な採光状態と遮蔽状態を一括して切り替え可能となっている。
【００６７】
さらに、本実施形態の横型ブラインドでは、図８乃至図１０から理解されるように、第２のタッセル１８に一端を取着した一括部分採光操作用のチルトコード１５Ｒの他端を、ストッパー装置２２を介してヘッドボックス１内で案内し、中段のスラット近傍にて係止部材１９によりラダーコード１４の室外側縦糸のみに接続している。これにより、角度調節軸１１の回転操作とは別に、操作として分かりやすい第１のタッセル１６と第２のタッセル１８の引き操作の組み合わせで多数段のスラット群について部分的な採光状態を一括して切り替え可能となっている。
【００６８】
以下、より具体的に、本実施形態の横型ブラインドにおける一括開閉操作（特に、一括全閉操作）、及び一括部分採光操作について説明する。
【００６９】
（一括開閉操作）
図１１（ａ）,（ｂ）は、それぞれ本実施形態の横型ブラインドにおける上部スラット群７及び下部スラット群８の水平状態からの一括開閉操作（特に、一括全閉操作）を簡略的に示す側面図である。
【００７０】
図１１（ａ）に示すように、上部スラット群７及び下部スラット群８は、それぞれ吊下げドラム１０により吊下されるラダーコード１４を介して、水平状態で支持されている。
【００７１】
図１１（ａ）に示す状態から、第１のタッセル１６の引き操作を行うことにより、図１１（ｂ）に示すようにチルトコード１５Ｆが引き込まれ、最上段のスラット近傍にてチルトコード１５Ｆの末端が係止部材１７によりラダーコード１４の室内側縦糸に接続されていることから、そのラダーコード１４の室内側縦糸が吊り上げられる。そして、第１のタッセル１６を手放してストッパー装置２１を作動させることで、チルトコード１５Ｆの引き込み量をロックできる。このため、全てのスラット（上部スラット群７及び下部スラット群８）を全体的な全閉状態へと一括して切り替えることができる。また、第１のタッセル１６の引き操作で、ストッパー装置２１の作動解除（ロック解除）により図１１（ａ）に示す全体的な採光状態へと一括して切り替えることができる。
【００７２】
（上部遮蔽・下部採光となる一括部分採光操作）
図１２（ａ）,（ｂ）は、それぞれ本実施形態の横型ブラインドにおける上部スラット群７及び下部スラット群８の一括全閉状態からの一括部分採光操作を簡略的に示す側面図である。
【００７３】
図１２（ａ）に示すように、上部スラット群７及び下部スラット群８は、第１のタッセル１６の引き操作により、全てのスラット（上部スラット群７及び下部スラット群８）について全体的な全閉状態へと一括して切り替えられている。
【００７４】
図１２（ａ）に示す状態から、第２のタッセル１８の引き操作を行うことにより、図１２（ｂ）に示すようにチルトコード１５Ｒが引き込まれ、中段のスラット近傍にてチルトコード１５Ｒの末端が係止部材１９によりラダーコード１４の室外側縦糸に接続されていることから、そのラダーコード１４の室外側縦糸が吊り上げられる。そして、第２のタッセル１８を手放してストッパー装置２２を作動させることで、チルトコード１５Ｒの引き込み量をロックできる。このため、上部スラット群７を遮蔽状態、下部スラット群８を採光状態とした上部遮蔽・下部採光となる部分採光状態へと一括して切り替えることができる。また、第２のタッセル１８の引き操作で、ストッパー装置２２の作動解除（ロック解除）により図１２（ａ）に示す全体的な遮蔽状態へと一括して切り替えることができる。
【００７５】
（上部採光・下部遮蔽となる一括部分採光操作）
図１３（ａ）,（ｂ）は、それぞれ本実施形態の横型ブラインドにおける上部スラット群７及び下部スラット群８の水平状態からの一括部分採光操作を簡略的に示す側面図である。
【００７６】
図１３（ａ）に示すように、上部スラット群７及び下部スラット群８は、それぞれ吊下げドラム１０により吊下されるラダーコード１４を介して、水平状態で支持されている。
【００７７】
図１３（ａ）に示す状態から、第２のタッセル１８の引き操作を行うことにより、図１３（ｂ）に示すようにチルトコード１５Ｒが引き込まれ、中段のスラット近傍にてチルトコード１５Ｒの末端が係止部材１９によりラダーコード１４の室外側縦糸に接続されていることから、そのラダーコード１４の室外側縦糸が吊り上げられる。そして、第２のタッセル１８を手放してストッパー装置２２を作動させることで、チルトコード１５Ｒの引き込み量をロックできる。このため、上部スラット群７を採光状態、下部スラット群８を遮蔽状態とした上部採光・下部遮蔽となる部分採光状態へと一括して切り替えることができる。また、第２のタッセル１８の引き操作で、ストッパー装置２２の作動解除（ロック解除）により図１３（ａ）に示す全体的な採光状態へと一括して切り替えることができる。
【００７８】
本実施形態においても、第１のタッセル１６の引き操作によるヘッドボックス１内への一括開閉操作用のチルトコード１５Ｆの引き込み量は、ストッパー装置２１の作動で任意に操作可能であることから、全てのスラット（上部スラット群７及び下部スラット群８）に関する任意の角度での角度調節を行うことができる。
【００７９】
同様に、第２のタッセル１８の引き操作によるヘッドボックス１内への一括部分採光操作用のチルトコード１５Ｒの引き込み量は、ストッパー装置２２の作動で任意に操作可能であることから、下部スラット群８に関する任意の角度での角度調節を行うことができる。
【００８０】
従って、本実施形態の変形例として、チルトポール２及び角度調節軸１１を設けずに、回転不能な吊下げドラム１０としてラダーコード１４を単に吊下する構成であっても、第１及び第２のタッセル１６，１８の引き操作の組み合わせのみで、上部スラット群７及び下部スラット群８の任意角度の角度調節が可能であり、特に、上部採光・下部遮蔽、上部遮蔽・下部採光、上部採光・下部採光、及び上部遮蔽・下部遮蔽となる状態を選択可能とすることができる。
【００８１】
以上のように、本実施形態の横型ブラインドによれば、全てのスラット（上部スラット群７及び下部スラット群８）を水平状態から遮蔽状態、或いは遮蔽状態から水平状態にするための操作負担を軽減することができ、直感的に分かりやすい操作性を実現することができる。
【００８２】
また、本実施形態の横型ブラインドによれば、一括操作で部分採光を可能とする構成としているため、上部採光・下部遮蔽、上部遮蔽・下部採光、上部採光・下部採光、及び上部遮蔽・下部遮蔽となる状態の選択操作についても直感的に分かりやすいものとすることができる。
【００８３】
従って、本発明に係る各実施形態の横型ブラインドでは、角度調節軸１１の回転操作とは別に、多数段のスラット群について採光状態と遮蔽状態を一括操作で切り替え可能となる。
【００８４】
以上、特定の実施形態の例を挙げて本発明を説明したが、本発明は前述の実施形態の例に限定されるものではなく、その技術思想を逸脱しない範囲で種々変形可能である。例えば、第１のタッセル１６は全てのスラットの一括開閉操作を主目的としているため、チルトコード１５Ｆの末端を接続するための係止部材１７の位置は、最上段のスラット近傍とする以外にも、最上段のスラットより上部の位置であってもよい。また、第２のタッセル１８の引き操作を行うことによる一括操作対象のスラットは、係止部材１９の接続位置の変更によって任意に設定することができる。
【００８５】
そして、上述した実施形態の例では、上部スラット群７と下部スラット群８のように多数段のスラット群を２分割する例を説明したが、更に別のタッセルによる引き操作を可能とするよう追加することで、多数段のスラット群を３分割以上に分割し多種類の一括部分採光操作として構成することも可能である。
【００８６】
また、上述した実施形態の例では、第１及び第２のタッセル１６，１８の引き操作について、それぞれのチルトコード１５Ｆ，１５Ｒを各係止部材１７，１９により所定のラダーコードへと直接的に接続し吊り上げ操作する例を説明したが、このようなチルトコード１５Ｆ，１５Ｒの移動負荷を変換してその操作力を軽減するチルト操作負荷軽減装置を介在させて、当該所定のラダーコードを間接的に吊り上げ操作するよう構成することもできる。
【００８７】
また、第１実施形態の横型ブラインドにおいて、中間レール４をボトムレール５より軽いものとすることで、第２実施形態の横型ブラインドの構成よりも第２のタッセル１８の引き操作に係る操作負荷をより軽減させることもできる。尚、中間レール４は、複数枚のスラットを重ねたものとすることもできる。
【産業上の利用可能性】
【００８８】
本発明によれば、全てのスラットを水平状態から遮蔽状態、或いは遮蔽状態から水平状態にするための操作負担を軽減し、特に、部分採光を可能とする構成の場合でも直感的に分かりやすい操作性を実現することができるので、操作性の改善が望まれる横型ブラインドの用途に有用である。
【符号の説明】
【００８９】
１  ヘッドボックス
４  中間レール
５  ボトムレール
７  上部スラット群
８  下部スラット群
１２  昇降コード
１３，１４  ラダーコード
１５Ｆ  第１のチルトコード（一括開閉操作用のチルトコード）
１５Ｒ  第２のチルトコード（一括部分採光操作用のチルトコード）
１６  第１のチルトコード用のタッセル
１７  第１のチルトコード用の係止部材
１８  第２のチルトコード用のタッセル
１９  第２のチルトコード用の係止部材
２０  昇降コード用のストッパー装置
２１  第１のチルトコード用のストッパー装置
２２  第２のチルトコード用のストッパー装置
【図１】
2018066164.tif 000003
【図２】
2018066164.tif 000004
【図３】
2018066164.tif 000005
【図４】
2018066164.tif 000006
【図５】
2018066164.tif 000007
【図６】
2018066164.tif 000008
【図７】
2018066164.tif 000009
【図８】
2018066164.tif 000010
【図９】
2018066164.tif 000011
【図１０】
2018066164.tif 000012
【図１１】
2018066164.tif 000013
【図１２】
2018066164.tif 000014
【図１３】
2018066164.tif 000015